(57)【要約】【課題】竪樋の設置が容易で取り付け状態における外観がすっきりとしているともに、施工後に容易に外れることがなく、かつ、設置後の竪樋、さらには竪樋用控え具そのもののメンテナンス性も良好な竪樋用控え具を提供すること。【解決手段】建物の外壁面６に固定される固定部２１とその前方の竪樋受け部２２とを有する支持片２と、竪樋受け部２２に対向して竪樋７を把持可能とされた把持部３１とこの把持部３１を竪樋７の把持または解除の状態に回動するための操作部３２とを有し、把持部３１と操作部３２との間で竪樋７の背面側に配置されたヒンジ部４を介して支持片２に接続された回動把持片３とを備え、竪樋７の背面側において支持片２と回動把持片３とに架け渡されてこの回動把持片３の操作部３２の作動を停止状態とし、また停止状態を解除可能とする回動停止部材５が配設されている。【選択図】図１
2017172178.tif 000002
【特許請求の範囲】
【請求項１】
建物の外壁面に固定される固定部とその前方の竪樋受け部とを有する支持片と、
前記竪樋受け部に対向して竪樋を把持可能とされた把持部とこの把持部を竪樋の把持または解除の状態に回動するための操作部とを有し、前記把持部と前記操作部との間で前記竪樋の背面側に配置されたヒンジ部を介して前記支持片に接続された回動把持片とを備え、
前記竪樋の背面側において前記支持片と前記回動把持片とに架け渡されてこの回動把持片の前記操作部の作動を停止状態とし、また停止状態を解除可能とする回動停止部材が配設されていることを特徴とする竪樋用控え具。
【請求項２】
前記回動停止部材は、前記回動把持部の操作部に回動自在に配設されて、前記支持片に架け渡される回動片であることを特徴とする請求項１に記載の竪樋用控え具。
【請求項３】
前記回動停止部材は、前記支持片と前記回動把持片とが前記ヒンジ部において交差していない構造において、支持片と回動把持片との間に架け渡された押しバネであることを特徴とする請求項１または２に記載の竪樋用控え具。
【請求項４】
前記回動停止部材は、前記支持片と前記回動把持片とが前記ヒンジ部において交差している構造において、支持片と回動把持片との間に架け渡された引きバネであることを特徴とする請求項１または２に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。
【０００３】
この竪樋用控え具としては、例えば、図５に示すように、外壁面に固定する固定部６２とその前方に設けられた円弧状の受け部６３と、この受け部６３の一端にヒンジ６４により接続されて開閉自在とされた帯状体６５とを備えた構造のものが知られている（特許文献１を参照）。
【０００４】
この構造の竪樋用控え具６１では、まず帯状体６５を開いた状態で円弧状の受け部６３の内側に竪樋６６を置き、その状態で図中の矢印のように帯状体６５を閉めて受け部６３の係止部６７に係止することで竪樋６６を把持させることができるようにしている。
【先行技術文献】
【特許文献】
【０００５】
【特許文献１】特開２０１０−５３５２４号公報
【発明の概要】
【発明が解決しようとする課題】
【０００６】
しかしながら、上記特許文献１に記載のような従来の竪樋用控え具６１では、竪樋６６を取付ける際に、受け部６３の内側に竪樋６６を配置して、手で竪樋６６を外壁面側に押さえ付けた状態で帯状体６５を閉める必要があった。このため、竪樋６６の設置作業性は必ずしも良好ではなかった。
【０００７】
また、竪樋６６の設置後にその側面側から衝撃が加わった場合に係止部６７が外れて竪樋６６を確実に保持できない状態となる場合があった。
【０００８】
本発明は、上記の課題を鑑みてなされたものであり、竪樋の設置が容易で施工性に優れるとともに、施工後に衝撃が加わった場合にも簡単には外れることがなく、かつ、設置後の竪樋、さらには竪樋用控え具そのもののメンテナンス性も良好な竪樋用控え具を提供することを課題とする。
【課題を解決するための手段】
【０００９】
本発明は、上記の課題を解決するために、以下のことを特徴としている。
【００１０】
すなわち、本発明の竪樋用控え具は、建物の外壁面に固定される固定部とその前方の竪樋受け部とを有する支持片と、前記竪樋受け部に対向して竪樋を把持可能とされた把持部とこの把持部を竪樋の把持または解除の状態に回動するための操作部とを有し、前記把持部と前記操作部との間で前記竪樋の背面側に配置されたヒンジ部を介して前記支持片に接続された回動把持片とを備え、前記竪樋の背面側において前記支持片と前記回動把持片とに架け渡されてこの回動把持片の前記操作部の作動を停止状態とし、また停止状態を解除可能とする回動停止部材が配設されていることを特徴とする。
【発明の効果】
【００１１】
本発明によれば、従来のように竪樋を外壁面側に押さえ付けた状態とする必要はなく、竪樋受け部に竪樋を配置して回動把持片の操作部を作動させるだけで竪樋の把持が可能となる。このため、竪樋の設置施工が容易となる。また、操作部はヒンジ部とともに竪樋の背面側に配置されることから、竪樋取り付け状態における外観がすっきりとしている。そしてまた、把持後には、回動停止部材によって操作部の作動が停止状態となるので、竪樋に衝撃が加わった場合にも、回動把持片は容易に外れることはない。しかも、停止状態は操作部において解除容易であって、設置後の竪樋、さらには竪樋用控え具そのもののメンテナンス性も良好になる。
【図面の簡単な説明】
【００１２】
【図１】本発明の竪樋用控え具の一実施形態の概略斜視図である。
【図２】竪樋を取り付けた状態を示す概略斜視図ある。
【図３】本発明の竪樋用控え具の別の一実施形態の概略斜視図である。
【図４】本発明の竪樋用控え具のさらに別の一実施形態の概略斜視図である。
【図５】従来の竪樋用控え具の竪樋を取り付けた状態を示す概略斜視図である。
【発明を実施するための形態】
【００１３】
本発明の竪樋用控え具について、図面に基づいて以下に詳述する。図１は、本発明の竪樋用控え具の一実施形態を示した概略斜視図であり、図２は、竪樋を取り付けた状態を示す概略斜視図である。
【００１４】
図１、図２に示すように、竪樋用控え具１は、建物の外壁面６に固定される固定部２１と、その前方の竪樋竪樋受け部２２とを有する支持片２を備えている。また、竪樋用控え具１は、竪樋受け部２２に対向して竪樋７を把持可能とされた把持部３１とこの把持部３１を竪樋７の把持または解除の状態に回動するための操作部３２とを有する可動把持片３を備えている。この回動把持片３では、把持部３１と操作部３２との間で竪樋７の背面側に配置されたヒンジ部４を介して支持片２に接続されている。さらに、竪樋用控え具１は、竪樋７の背面側において支持片２と回動把持片３とに架け渡されてこの回動把持片３の操作部３２の作動を停止状態とし、また停止状態を解除可能とする回動停止部材５が配設されている。
【００１５】
支持片２の外壁面６側の端部に設けられた固定部２１は、釘やネジ等の固定具８を建物の外壁面６に打ち込み、またはねじ込んで竪樋用控え具１を固定させるためのものである。固定部２１は、竪樋用控え具１が建物の外壁面６から容易に外れないように固定できればその形状や外壁面６との接触面積は限定されるものではなく、例えば、建物の外壁面６と平行な矩形板状の形状とすることができる。また、固定部２１には、例えば、固定具８を挿入するための貫通孔２１ａが備えられている。また、確実に外れないようにするために、あらかじめ建物の外壁面６に孔を開けておき、その孔にアンカー等を設け、固定部２１の貫通孔２１ａに固定具８を挿入し、固定具８を外壁面６の孔へねじ込む等して固定することもできる。
【００１６】
支持片２の前方の竪樋受け部２２は、一定の幅を有する円弧状の湾曲形状に形成され、この円弧状に湾曲した竪樋受け部２２の内周面２２ａに竪樋７が置かれるようにする。竪樋受け部２２の内周面２２ａの曲率は、竪樋７の外周面の曲率より若干小さく設定しておくことが好ましい。
【００１７】
支持片２の材質は、経年の使用に対しても劣化が少ない材質のものであれば特に制限されるものではないが、可撓性を有する材質とすることが好ましく考慮される。また、回動把持片３の材質も、経年劣化の少ない可撓性を有する材質とすることにより、取り付ける竪樋７の径に自由度を持たせることができる。
【００１８】
回動把持片３は、支持片２の竪樋受け部２２に対向して竪樋７を把持することができる把持部３１を有し、竪樋７の背面側には把持部３１を竪樋７の把持または解除の状態に回動するための操作部３２を有している。
【００１９】
回動把持片３の把持部３１は、竪樋受け部２２に置かれた竪樋７を強固に把持するためのものである。回動把持片３は、前記のとおり、回動把持片３の把持部３１と操作部３２との間で、竪樋７の背面側に配置されたヒンジ部４を介して支持片２に接続されている。把持部３１は、長手方向に一定の幅を有する円弧状の湾曲形状に形成され、この円弧状に湾曲した内周面３１ａと竪樋受け部２２の内周面２２aの間に竪樋７を配置して、竪樋７を把持することができるようにしている。
【００２０】
円弧状に湾曲した内周面３１ａを有する把持部３１では、竪樋７を把持する状態において、先端部３１ｂと竪樋受け部２２の先端部２２ｂとが当接するように支持片２と対向配置されている。
【００２１】
回動把持片３の操作部３２を支持片２に近づけるように、図１中の矢印ａ方向に操作すると、ヒンジ部４が支点となり、把持部３１が図１中の矢印ｂ方向に向かって回動する。この操作により、当接されている把持部３１の先端部３１ｂと竪樋受け部２２の先端部２２ｂとが離間し、形成された開口部より竪樋７を挿入し、あるいは既設の竪樋７を離脱させることが可能となる。
【００２２】
竪樋７の設置施工においては、まず、操作部３２を上記のように矢印ａ方向に回動操作して、把持部３１の先端部３１ｂと竪樋受け部２２の先端部２２ｂとを離間させて開き、竪樋７を開口部より挿入する。次いで、操作部３２を、矢印ａとは逆方向に回動させて、把持部３１を矢印ｂとは逆方向に移動させて閉じた状態として竪樋７を把持する。
【００２３】
竪樋受け部２２の内周面２２ａに竪樋７を配置して回動把持片３の操作部３２を作動させるだけで竪樋７の把持が可能となる。従来のように、竪樋７を外壁面６側に押し付けた状態で取り付け施工する必要は全くない。竪樋７の設置施工は容易である。
【００２４】
また、ヒンジ部４とともに操作部３２は竪樋７の背面側に配置されているので、外方に向かって露出されることなく、竪樋７の取り付け状態における外観がすっきりとしたものとなる。
【００２５】
以上のような支持片２と回動把持片３との間には、竪樋７の背面側において、回動把持片３の操作部の作動を停止状態とし、また停止状態を解除可能とする回動停止部材５が配設されている。
【００２６】
回動停止部材５は、例えば、図１に示すように、回動把持片３の操作部３２の外壁面６側の端部に回動片５１として接続されることが例示される。回動片５１は、図１の矢印Ｃの方向に支持片２の被嵌合部２３に対して上方から被せられるように嵌合部５３が嵌合されて、支持片２に架け渡される。これにより、支持片２と回動把持片３とを固定し、操作部３２の作動を停止状態とすることができる。操作部３２と回動片５１の接続は、例えば、把持部３１の先端部３１ｂを竪樋受け部２２の先端部２２ｂと当接させた状態において、操作部３２に支持片２の長手方向と平行に回動片５１を軸支することで可能となる。例えば、操作部３２の外壁面６側の端部に設けられた貫通孔３２ａおよび回動片５１の軸受部５２に軸５２ａを挿入して軸支することが例示される。
【００２７】
嵌合部５３の形状は、被嵌合部２３に対して回動片５１を上方から被せて下方に押圧したときに嵌り合うように、例えば、支持片２の垂直方向における断面形状に対応する、略矩形状の形状とすることが考慮される。回動片５１が、このような形状の嵌合部５３を有することにより、嵌り合った嵌合部５２と支持片２の被嵌合部２３とが、容易に外れなくなる。図２は、このような状態を概略斜視図として例示している。竪樋用控え具１は、施工後に、竪樋用控え具１の側面から衝撃や荷重が加わった場合でも、竪樋７が外れるのを抑制することができる。
【００２８】
また、回動片５１の軸受部５２とは反対側の端部には、支持片２との嵌合を離脱容易とするための指掛け部５４が設けられる。指掛け部５４は、作業者の指を掛けて、嵌合している回動片５１を上方に向けて引き上げやすい形状とされている。指掛け部５４を設けることにより、施工後の竪樋７の取り外しと竪樋、さらには竪樋用控え具そのもののメンテナンス性を向上させることができる。
【００２９】
また、指掛け部５４の形状は、竪樋７の取付け施工時において嵌合部５３と支持片２の被嵌合部２３の嵌合を容易にするために、作業者の指を掛けて、下方に向けて引き下げやすい形状に形成することも考慮される。
【００３０】
本実施形態の竪樋用控え具１においても、ヒンジ部４とともに回動片５１の取付け位置が、竪樋７の背面側に配置されているため、前方正面から見てヒンジ部４および回動片５１等の可動部が目立たない。このため、竪樋７の取り付け状態における外観をすっきりとしたものにすることができる。
【００３１】
本発明の竪樋用控え具１の別の実施形態では、回動停止部材５については、図３のように、支持片２と回動把持片３とがヒンジ部４において交差していない構造において、支持片２と回動把持片３との間に押しバネ５ａが架け渡されていることが例示される。
【００３２】
図３の例では、図１、図２に示した、回動片５１よりもヒンジ部４に近い位置で、支持片２と回動把持片３との間に、回動停止部材５としての押しバネ５ａが架け渡されている。図中の矢印αで示した方向に弾性力が働く押しバネ５ａが設けられている場合、図中の矢印βで示した竪樋受け部２２の先端部２２ｂと、把持部３１の先端部３１ｂとが相互に接近する方向に付勢されて、当接している。このため、押しバネ５ａによって、施工後に、竪樋用控え具１の側面から衝撃や荷重が加わった場合でも、竪樋７が外れるのを抑制することができる。
【００３３】
また、回動把持片３の操作部３２を支持片２に近づけるように、図中の矢印ａ方向に操作すると、ヒンジ部４が支点となり、把持部３１が図中の矢印ｂ方向に向かって回動する。この操作により、当接されている把持部３１の先端部３１ｂと竪樋受け部２２の先端部２２ｂとが離間し、形成された開口部より竪樋７を挿入し、あるいは既設の竪樋７を離脱させることが可能となる。そして、回動停止部材５として押しバネ５ａを備える場合、押しバネ５ａの弾性力によって、操作部３２を矢印ａとは逆方向に回動するように操作しなくとも、操作部３２が元の位置に移動し、把持部３１を矢印ｂとは逆方向に移動させて閉じた状態とすることができる。このため、従来のように、竪樋７を外壁面６側に押し付けた状態で取り付け施工する必要は全くない。竪樋７の設置施工は容易である。
【００３４】
また、ヒンジ部４、操作部３２とともに押しバネ５ａもまた竪樋７の背面側に配置されているので、外方に向かって露出されることなく、竪樋７の取り付け状態における外観がすっきりとしたものとなる。
【００３５】
このような押しバネ５ａに加えて、回動停止部材５として回動片５１を備えている場合、回動片５１が支持片２の上方から被せられて嵌合し、操作部３２の回動を抑止して固定することができる。このため、施工後に、押しバネ５ａと回動片５１の併用で、竪樋用控え具１の側面から衝撃や荷重が加わった場合でも、竪樋７が離脱するのをより確実に抑制することができる。
【００３６】
なお、本実施形態については、押しバネ５ａを配設する竪樋用控え具１としては、前記の回動片５１を備えていないものも前記の所定の作用効果を示すものとして考慮される。
【００３７】
本発明の竪樋用控え具１のさらに別の一実施形態では、回動停止部材５は、支持片２と回動把持片３とがヒンジ部４において交差している構造において、支持片２と回動把持部材３との間に架け渡された引きバネ５ｂであることが好ましく考慮される。
【００３８】
図４は、本発明の竪樋用控え具のさらに別の一実施形態の概略斜視図である。
【００３９】
図４の、本実施形態の竪樋用控え具１では、回動把持片３が、ヒンジ部４を挟んで支持片２と交差して設けられている。この交差を可能とするため、固定部２１と竪樋受け部２２との間であって、かつ、ヒンジ部４よりも竪樋受け部２２側の位置において、竪樋受け部２２の内周面２２ａに、回動把持片３の操作部３２を挿入可能な開口部２２ｃが設けられている。開口部２２ｃの高さは、回動把持片３の操作部３２の高さを上回るように設計されていることが好ましく考慮される。そして、竪樋７の背面側において、ヒンジ部４より外壁面６側の部分において、支持片２と回動把持片３との間に、回動停止部材５としての引きバネ５ｂが架け渡されている。図中の矢印γ方向に弾性力が働く引きバネ５ｂが設けられている場合、図中の矢印βで示した竪樋受け部２２の先端部２２ｂと、把持部３１の先端部３１ｂとが相互に接近する方向に付勢されて、当接している。このため、引きバネ５ｂによって、施工後に、竪樋用控え具１の側面から衝撃や荷重が加わった場合でも、竪樋７が外れるのを抑制することができる。
【００４０】
また、回動把持片３の操作部３２を支持片２の竪樋受け部２２に近づけるように、図中の矢印ａ’方向に操作すると、ヒンジ部４が支点となり、把持部３１が図中の矢印ｂ方向に向かって回動する。この操作により、当接されている把持部３１の先端部３１ｂと竪樋受け部２２の先端部２２ｂとが離間し、形成された開口部より竪樋７を挿入し、あるいは既設の竪樋７を離脱させることが可能となる。そして、回動停止部材５として引きバネ５ｂを備える場合、引きバネ５ｂの弾性力によって、操作部３２を矢印ａ’とは逆方向に回動させるように操作しなくとも、操作部３２が元の位置に移動し、把持部３１を矢印ｂとは逆方向に移動させて閉じた状態とすることができる。このため、従来のように、竪樋７を外壁面６側に押し付けた状態で取り付け施工する必要は全くない。竪樋７の設置施工は容易である。
【００４１】
また、ヒンジ部４、操作部３２とともに引きバネ５ｂもまた竪樋７の背面側に配置されているので、外方に向かって露出されることなく、竪樋７の取り付け状態における外観がすっきりとしたものとなる。
【００４２】
なお、この実施形態については、竪樋用控え具１は、回動停止部材５として、引きバネ５ｂに加えて、他の実施形態と同様に操作部３２の端部に回動片５１を備えていてもよい。引きバネ５ｂに加えて、回動片を備えている場合、回動片５１が支持片２の上方から被せられて嵌合し、操作部３２の回動を抑止して固定することができる。このため、施工後に、竪樋用控え具１の側面から衝撃や荷重が加わった場合でも、竪樋７が離脱するのをより確実に抑制することができる。
【００４３】
以上、本発明の竪樋用控え具１について、複数の実施形態に基づいて説明したが、本発明は上記の実施形態に限定されるものではなく、その要旨を逸脱しない範囲内において種々の変形、変更が可能である。
【符号の説明】
【００４４】
１  竪樋用控え具
２  支持片
２１  支持部
２１ａ  貫通孔
２２  竪樋受け部
２２ａ  内周面
２２ｂ  先端部
２２ｃ  開口部
３  回動把持片
３１  把持部
３１ａ  内周面
３１ｂ  先端部
３２  操作部
４  ヒンジ部
５  回動停止部材
５１  回動片
５２  軸受け部
５２ａ  軸
５３  嵌合部
５４  指掛け部
５ａ  押しバネ
５ｂ  引きバネ
６  外壁面
７  竪樋
８  固定具
【図１】
2017172178.tif 000003
【図２】
2017172178.tif 000004
【図３】
2017172178.tif 000005
【図４】
2017172178.tif 000006
【図５】
2017172178.tif 000007